(57)【要約】      （修正有）【課題】電子機器を筐体に取り付ける前に、筐体と電子機器とが分離されないように電子機器を１次固定することができる電子機器の結合装置を提供する。【解決手段】フック部５１２は、フック状の端部がフックボディ５１４と所定間隔で離隔する。これによって、フック部５１２が筺体の挿入孔を通す時に挿入孔に押し付けられて変形しながら挿入される。その後、フック部５１２が筐体の挿入孔を通した後は、弾性によってさらに復元されながら筐体の後面に係止するようになる。このため、フック部５１２は、傾斜した部分の高さが低い方がフック状ブラケット５１０を筐体に挿入する方向に向かうように配置される。【効果】製品原価が減少して、取り付けの便宜性及び耐久性が向上する効果がある。一人の作業者のみで電子機器を取り付けることができ、作業時間が短縮される効果がある。【選択図】図６
2019145788.tif 000002
【特許請求の範囲】
【請求項１】
電子機器の大きさに対応する大きさで挿入孔が貫通された筐体に前記電子機器を結合させる電子機器の結合装置において、
前記筐体の外部に露出するフロントカバーと、前記フロントカバーの後方に結合するリアカバーの間に挿入され、前記フロントカバーと前記リアカバーが結合した状態で、前記挿入孔を通して前記筐体に係止維持される複数のフック状ブラケット；
前記フロントカバーに備えられて、前記フック状ブラケットが装着されるブラケット装着部；及び、
前記リアカバーに備えられて、前記フロントカバーとリアカバーを結合する時に前記フック状ブラケットと結合される補助装着部；
を含む電子機器の結合装置。
【請求項２】
前記フック状ブラケットは、
前記筐体に係止維持されるフック部と、
前記フック部と同じ幅を有して、前記フック部の一端に延びるフックボディと、
前記フックボディの両側に一体に形成される第１の係止部と、
前記フックボディの一端から延びるものの、前記フックボディと互いに向かい合うようにベンディング（ｂｅｎｄｉｎｇ）される第２の係止部、
を含む、請求項１に記載の電子機器の結合装置。
【請求項３】
前記フック状ブラケットは、剛性のある金属材で作られており、
前記電子機器が前記挿入孔に挿入される際、前記フック部及びフックボディが加圧して弾性変形され、
前記電子機器が前記挿入孔に挿入された後、前記フック部及びフックボディが復元されて、前記フック部が前記筐体に係止した状態で維持されることを特徴とする、請求項２に記載の電子機器の結合装置。
【請求項４】
前記ブラケット装着部は、
前記フロントカバーの前面に結合した第１のフレームの縁に沿って結合した第２のフレームの複数ヵ所に切開形成されるものの、前記筐体に向かって切開された切開孔と、
前記第２のフレームと一体に形成されて、前記フック状ブラケットが装着される収容空間を形成する第１のリブ及び第２のリブ、
を含む、請求項２又は請求項３に記載の電子機器の結合装置。
【請求項５】
前記切開孔は、前記フック部の幅に対応する幅に切開されるし、
前記第１のリブは、前記第２のフレームの内側に突き出て、前記フック状ブラケットを装着する際、前記フックボディを隔てて互いに向かい合う一対のバー（ｂａｒ）状であり、
前記第２のリブは、前記フック状ブラケットを装着する際、前記第１の係止部及び第２の係止部を隔てて前記第１のリブと互いに向かい合う一対のバー（ｂａｒ）状であることを特徴とする、請求項４に記載の電子機器の結合装置。
【請求項６】
前記第１の係止部は、前記第１のリブの厚さに対応する幅だけ前記第２の係止部に向かって直角にベンディングされて、前記フックボディと平行に延び、前記ブラケット装着部に結合する時に前記第１のリブの一側に密着して、
前記第２の係止部は、前記第２のリブの一側に密着することを特徴とする、請求項５に記載の電子機器の結合装置。
【請求項７】
前記フック状ブラケットは、
前記第２の係止部の端部から前記フック部と対向する方向にベンディングドされた係止段を含み、
前記補助装着部は、前記ブラケット装着部の位置に対応して、前記リアカバーの内側面から板状に突き出て、
前記補助装着部は、前記フロントカバー及びリアカバーが互いに結合される際、前記係止段に密着して前記係止段を加圧することを特徴とする、請求項６に記載の電子機器の結合装置。
【請求項８】
前記第２の係止部は、前記フックボディからベンディングされて、「Ｕ」字状に延びて形成され、延びた端部にそれぞれ前記係止段がベンディングして形成されることを特徴とする、請求項７に記載の電子機器の結合装置。
【請求項９】
前記第２の係止部は、前記フックボディからベンディングされて、前記フックボディの幅より大きな幅を有するように延びて形成され、延びた端部にそれぞれ前記係止段がベンディングして形成されることを特徴とする、請求項７に記載の電子機器の結合装置。
【請求項１０】
前記第１の係止部は、前記第１のリブを囲む「コ」字状に前記フックボディの両側から延びたことを特徴とする、請求項６に記載の電子機器の結合装置。
【発明の詳細な説明】
【技術分野】
【０００１】
本発明は、電子機器を筐体に取り付ける前に、筐体と電子機器とが分離されないように電子機器を１次固定することができる電子機器の結合装置に関する。
【背景技術】
【０００２】
通常、ＨＭＩ（Ｈｕｍａｎ  Ｍａｃｈｉｎｅ  Ｉｎｔｅｒｆａｃｅ）機器やパネルＰＣは、ＰＣで運営されているハードディスク、ＣＤドライバ、冷却ファン等、一切の機械的要素を排除することで、現場の作業者が使用しやすいパネル型の多機能制御機器を意味する。
【０００３】
ＨＭＩ機器は、パネルに固定して取り付ける形態から、作業者が移動しながら使用できる携帯用パネル型等、多様な形態に提供されている。
【０００４】
図１は、従来の電子機器の結合構造を示した図面、図２は、従来の電子機器の他の結合構造を示した図面である。
【０００５】
図１に示したように、ＨＭＩ機器やパネルＰＣ（Ｐａｎｅｌ ＰＣ）等の電子機器５を取り付ける際、筐体１に形成された取付孔２に電子機器５を先に挿入する。その後、電子機器５の内側に結合したフック状ブラケット７が筐体１に係止するようにすることで、電子機器５が筐体１から分離されることを防止することができる。このとき、ブラケット７は、プラスチック材質で作られる。電子機器５のフロントカバー又はリアカバーの上側には孔が形成される。フック状の部位は、孔を貫通して突き出て筐体１に係止する構造である。また、フロントカバー又はリアカバーは、着脱可能な構造であり、ブラケット７の露出していない部分は、通常、スプリング、ピン等、結合のための３〜５つの部品で構成される。
【０００６】
または、図２に示したように、電子機器５’を組み立てる際、フロントカバー５ａ又はリアカバー５ｂの内側に複数のフックを備えた形状のブラケット７’を組み立てる。その後、フロントカバー５ａとリアカバー５ｂを別の締結ボルトで結合する。次に、電子機器５’を筐体１に取り付けることができる。この場合も、ブラケット７’の構成と材質は、同様である。
【０００７】
ところで、かかる従来の電子機器は、ブラケットがプラスチック材質で作られるため、取り付け過程において、ブラケットのフック状の部位が筐体の取付孔に挿入されながら撓むか破損するリスクがある。フック状ブラケットが３〜５つの部品で構成されるため、組み立て過程が複雑であり、原価が高くなる問題がある。
【０００８】
また、フック状ブラケットがない電子機器の場合、一人の作業者が電子機器を筐体に挿入した状態で維持して、他の一人の作業者が筐体の後面で電子機器を固定する作業をしなければならない。そのため、電子機器の取り付け作業を一人で作業しにくく、作業時間が遅延される問題がある。
【発明の概要】
【発明が解決しようとする課題】
【０００９】
本発明の目的は、一人の作業者でも電子機器を筐体に装着しやすい電子機器の結合装置を提供することである。
【００１０】
本発明の他の目的は、ブラケットの構造を改善して、原価を減少し、組立構造及び作業時間を短縮させる電子機器の結合装置を提供することである。
【課題を解決しようとする手段】
【００１１】
本発明は、電子機器の大きさに対応する大きさで挿入孔が貫通された筐体に前記電子機器を結合させる電子機器の結合装置において、前記筐体の外部に露出するフロントカバーと、前記フロントカバーの後方に結合するリアカバーとの間に挿入され、前記フロントカバーと前記リアカバーが結合した状態で、前記挿入孔を通して前記筐体に係止維持される複数のフック状ブラケットと、前記フロントカバーに備えられて、前記フック状ブラケットが装着されるブラケット装着部と、前記リアカバーに備えられて、前記フロントカバーとリアカバーを結合する際、前記フック状ブラケットと結合する補助装着部を含む電子機器の結合装置を提供する。
【００１２】
前記フック状ブラケットは、前記筐体に係止維持されるフック部と、前記フック部と同じ幅を有して、前記フック部の一端に延びるフックボディと、前記フックボディの両側に一体に形成される第１の係止部と、前記フックボディの一端から延びるものの、前記フックボディと互いに向かい合うようにベンディングされる第２の係止部を含んでいてもよい。
【００１３】
前記フック状ブラケットは、剛性のある金属材で作られており、前記電子機器が前記挿入孔に挿入される際、前記フック部及びフックボディが加圧して弾性変形され、前記電子機器が前記挿入孔に挿入された後、前記フック部及びフックボディが復元されて、前記フック部が前記筐体に係止維持されることを特徴とする。
【００１４】
前記ブラケット装着部は、前記フロントカバーの前面に結合した第１のフレームの縁に沿って結合した第２のフレームの複数ヵ所に切開形成されるものの、前記筐体に向かって切開された切開孔と、前記第２のフレームと一体に形成されて、前記フック状ブラケットが装着される収容空間を形成する第１のリブ及び第２のリブを含んでいてもよい。
【００１５】
前記切開孔は、前記フック部の幅に対応する幅で切開されるし、前記第１のリブは、前記第２のフレームの内側に突出形成され、前記フック状ブラケットの装着時に前記フックボディを隔てて互いに向かい合う一対のバー（ｂａｒ）状であり、前記第２のリブは、前記フック状ブラケットを装着する時に前記第１の係止部及び第２の係止部を隔てて前記第１のリブと互いに向かい合う一対のバー（ｂａｒ）状であることを特徴とする。
【００１６】
前記第１の係止部は、前記第１のリブの厚さに対応する幅だけ前記第２の係止部に向かって直角にベンディングされて、前記フックボディと平行に延び、前記ブラケット装着部に結合する時に前記第１のリブの一側に密着して、前記第２の係止部は、前記第２のリブの一側に密着することを特徴とする。
【００１７】
前記フック状ブラケットは、前記第２の係止部の端部から前記フック部と対向する方向にベンディングされた係止段を含み、前記補助装着部は、前記ブラケット装着部の位置に対応して、前記リアカバーの内側面から板状に突出形成され、前記フロントカバー及びリアカバーが互いに結合する時に前記係止段に密着して前記係止段を加圧することを特徴とする。
【００１８】
前記第２の係止部は、前記フックボディからベンディングされた後、「Ｕ」字状に延びて形成され、延びた端部にそれぞれ前記係止段がベンディングして形成されることを特徴とする。
【００１９】
前記第２の係止部は、前記フックボディからベンディングされた後、前記フックボディの幅より大きな幅を有するように延びて形成され、延びた端部にそれぞれ前記係止段がベンディングして形成されることを特徴とする。
【００２０】
前記第１の係止部は、前記第１のリブを囲む「コ」字状に前記フックボディの両側から延びたことを特徴とする。
【発明の効果】
【００２１】
本発明によれば、剛性のある材質で電子機器の結合装置を製造することで、製品原価が減少して、取り付けの便宜性及び耐久性が向上する効果がある。また、結合装置の構造を改善することで、一人の作業者のみで電子機器を取り付けることができ、作業時間が短縮される効果がある。
【図面の簡単な説明】
【００２２】
【図１】従来の電子機器の結合構造を示した図面。
【図２】従来の電子機器の他の結合構造を示した図面。
【図３】電子機器の筐体への取付前状態を示した正面図。
【図４】電子機器の筐体への取付完了状態を示した背面図。
【図５】本発明の一実施形態による電子機器の結合装置を示した分解斜視図。
【図６】図５の主な構成を拡大して示した斜視図。
【図７】図５による電子機器の結合装置の取付状態を示した部分斜視図。
【図８】本発明の一実施形態による電子機器の結合装置を適用した電子機器の筐体への取付前状態を示した側面図。
【図９】本発明の一実施形態による電子機器の結合装置を適用した電子機器の筐体への取付完了状態を示した側面図。
【図１０】本発明の他の実施形態による電子機器の結合装置を示した斜視図。
【図１１】本発明のさらに他の実施形態による電子機器の結合装置を示した斜視図。
【発明を実施するための形態】
【００２３】
前述した目的、特徴及び長所は、添付の図面を参照して詳細に後述されており、これによって、本発明が属する技術分野で通常の知識を有する者は、本発明の技術思想を容易に実施することができる。本発明を説明するにおいて、本発明に係る公知の技術に対する具体的な説明が本発明の要旨を曖昧にすると判断される場合には詳説を省略する。以下では、添付の図面を参照して本発明による好ましい実施形態を詳説する。図面における同じ参照符号は、同一又は類似の構成要素を示すものに使われる。
【００２４】
図３は、電子機器の筐体への取付状態を示した正面図、図４は、電子機器の筐体への取付状態を示した背面図である（図面に示した筐体は、全体を示したものではなく、一部を示した形態である）。
【００２５】
図３及び図４に示したように、電子機器３０は、ＨＭＩ機器やパネルＰＣ等を含み、所定の厚さを有するパネル型である。電子機器３０は、外観を形成する筐体１０に取り付けられてもよい。筐体１０には、電子機器３０の大きさに対応する大きさで挿入孔１２が貫通される。
【００２６】
電子機器３０は、筐体１０の外部に露出する前面部と、筐体１０の後方に配置される後面部を有する。電子機器３０は、前面部の一部をカバーするフロントカバー１００と、後面部の一部又は全部をカバーするリアカバー３００を含んでいてもよい。
【００２７】
フロントカバー１００は、電子機器３０の前面部の縁をカバーして支持する。前面部は、例えば、画像が表示されるディスプレイで構成されてもよい。フロントカバー１００は、ディスプレイの縁を囲んで支持する形態を有する。筐体１０の外部に露出する部分をフロントカバー１００の前方と定義して、前方に向かう面をフロントカバー１００の前面と定義する。フロントカバー１００の前方に対応する方向を後方と定義して、後方に向かう面をフロントカバー１００の後面と定義する。従って、図３に示した筐体１０は、前面を示して、図４に示した筐体１０は、後面を示す。
【００２８】
フロントカバー１００は、電子機器３０の前面部をカバーする第１のフレーム１１０と、上下左右の縁をカバーする第２のフレーム１３０を含んでいてもよい。フロントカバー１００の第２のフレーム１３０上には、電子機器３０を筐体１０に結合させるための結合装置５００が備えられる。
【００２９】
リアカバー３００は、フロントカバー１００の後方に着脱可能に結合される。リアカバー３００は、電子機器３０の各種部品が外部に露出しないようにカバーする役割を行う。リアカバー３００は、フロントカバー１００と結合して、後述する結合装置５００が揺れないように防止する役割も行う。
【００３０】
図５は、本発明の一実施形態による電子機器の結合装置を示した分解斜視図、図６は、図５の主な構成を拡大して示した斜視図、図７は、図５による電子機器の結合装置の取付状態を示した部分斜視図である。
【００３１】
図５〜図７に示したように、結合装置５００は、フロントカバー１００とリアカバー３００の間に挿入される。結合装置５００は、フロントカバー１００とリアカバー３００を結合した状態で、筐体１０の挿入孔１２に係止した状態で維持される。従って、結合装置５００は、電子機器３０が筐体１０に結合した状態を維持させる。結合装置５００は、筐体１０に係止した状態で維持されるフック状ブラケット５１０と、フロントカバー１００に形成されるブラケット装着部５３０と、リアカバー３００に形成される補助装着部５５０を含む。筐体１０に係止維持される機能を行うものは、フック状ブラケット５１０である。しかし、フック状ブラケット５１０を装着するための結合構造も本発明の主な構成である。従って、本発明では、フック状ブラケット５１０とともに、ブラケット装着部５３０及び補助装着部５５０を全て含めて、結合装置５００と定義する。
【００３２】
図６に示したように、フック状ブラケット５１０は、剛性のある金属材で作られる。フック状ブラケット５１０は、板状（ｐｌａｔｅ  ｓｈａｐｅ）の金属材を複数回ベンディング（ｂｅｎｄｉｎｇ）して作られる。フック状ブラケット５１０は、板状の金属材をベンディングして作られるため、所定の弾性を有するようになる。フック状ブラケット５１０は、筐体１０に係止した状態で維持されるフック部５１２と、フック部５１２の一端に延びるフックボディ５１４と、フックボディ５１４に形成される第１の係止部５１４ａと、フックボディ５１４の一端から延びてベンディングされた第２の係止部５１６を含む。第２の係止部５１６の端部がベンディングされて係止段５１６ａを形成する。
【００３３】
フック部５１２は、所定の幅を有する金属材をフック状にベンディングした部分である。フック部５１２は、フック状の端部がフックボディ５１４と所定間隔で離隔する。これによって、フック部５１２が筐体１０の挿入孔１２を通す時に挿入孔１２に押し付けられて変形しながら挿入される。その後、フック部５１２が筐体１０の挿入孔１２を通した後は、弾性によってさらに復元されながら筐体１０の後面に係止するようになる（これについては、後述する）。このため、フック部５１２は、傾斜した部分の高さが低い方がフック状ブラケット５１０を筐体に挿入する方向に向かうように配置される。
【００３４】
フックボディ５１４は、フック部５１２と同じ幅を有する。フックボディ５１４は、フック部５１２のベンディングされた部分の反対側に延びる。フックボディ５１４の長さ方向の両側には、後述するブラケット装着部５３０に係止した状態で維持される第１の係止部５１４ａが形成される。
【００３５】
第１の係止部５１４ａは、ブラケット装着部５３０の厚さに対応する幅だけ第２の係止部５１６に向かって直角にベンディングされて、フックボディ５１４と平行な方向に延びる。すなわち、第１の係止部５１４ａは、フックボディ５１４からフック部５１２に対向する方向に向かって直角にベンディングされて、さらに直角にベンディングされ、フックボディ５１４の両側から延びる形状である。第１の係止部５１４ａは、フック部５１２の挿入及び弾性変形に影響を与えてはならない。従って、第１の係止部５１４ａは、フック部５１２が形成された領域以外の領域両側に備えられる。
【００３６】
第２の係止部５１６は、フックボディ５１４から延びて、フックボディ５１４と対向するように複数回ベンディングドされ、フックボディ５１４と平行に形成される。第２の係止部５１６は、フック部５１２の挿入及び弾性変形に影響を与えてはならない。従って、第２の係止部５１６は、フック部５１２の幅だけ板材の中央部位を切開して、「Ｕ」字状に作られてもよい（図６の図示方向を基準としてＵ字状と表現する）。第２の係止部５１６の端部は、フック部５１２と対向する方向にそれぞれベンディングされて、係止段５１６ａを形成する。フック状ブラケット５１０のフック部５１２及び第１の係止部５１４ａの形状に対応して、フロントカバー１００にはブラケット装着部５３０が形成される。係止段５１６ａの形状に対応して、リアカバー３００には補助装着部５５０が形成される。
【００３７】
図５及び図７に示したように、フロントカバー１００は、フック状ブラケット５１０が挿入されるように、第２のフレーム１３０上に複数ヵ所が切開される。切開した部分を中心にブラケット装着部５３０が形成される。
【００３８】
それぞれのブラケット装着部５３０は、約「コ」字状の収容空間を形成して、収容空間にフック状ブラケット５１０が挿入される。ブラケット装着部５３０は、筐体１０に向かって切開された切開孔５３２と、第２のフレーム１３０と一体に形成され、収容空間を形成する第１のリブ５３４及び第２のリブ５３６を含む。
【００３９】
切開孔５３２は、フック部５１２が挿入されて露出する部分であり、フック部５１２の幅に対応する幅に切開される。
【００４０】
第１のリブ５３４は、第２のフレーム１３０の内側から突出形成され、フックボディ５１４を隔てて互いに向かい合う一対のバー（ｂａｒ）状に形成されてもよい。前述した第１の係止部５１４ａがフックボディ５１４から第１のリブ５３４だけの間隔を置いてベンディングされるものであり、第１の係止部５１４ａが第１のリブ５３４に密着する。第１の係止部５１４ａは、図７を基準として第１のリブ５３４の下面に密着する。第１の係止部５１４ａは、図７を基準としてフック状ブラケット５１０の上下方向の揺れを防止する。
【００４１】
第２のリブ５３６は、第１の係止部５１４ａ及び第２の係止部５１６を隔てて第１のリブ５３４と互いに向かい合う一対のバー（ｂａｒ）状に形成されてもよい。第２の係止部５１６は、図７を基準として第２のリブ５３６の上面に密着する。係止段５１６ａは、第２のリブ５３６及び補助装着部５５０の間に挿入される。
【００４２】
前述した実施形態において、第１のリブ５３４と第２のリブ５３６がバー（ｂａｒ）状に形成されて、その間にフック状ブラケット５１０が挿入される収容空間を形成することを例にして説明した。しかし、ブラケット装着部は、フック状ブラケット５１０の挿入される部分とフック部５１２の露出する部分がそれぞれ開口しており、残り部分は、塞がっている箱状に形成されてもかまわない。
【００４３】
図５及び図７に示したように、補助装着部５５０は、リアカバー３００上に形成されるものの、フロントカバー１００と結合する内側面に形成される。補助装着部５５０は、フック状ブラケット５１０の位置に対応する位置に形成される。補助装着部５５０は、リアカバー３００の内側面からフロントカバー１００に向かって突き出る形態を有する。補助装着部５５０は、フック状ブラケット５１０の第２の係止部５１６の端部に形成された係止段５１６ａに密着して係止段５１６ａを加圧する。これによって、補助装着部５５０は、フック状ブラケット５１０が図５を基準として前後方向に揺れることを防止する。従って、補助装着部５５０は、フロントカバー１００とリアカバー３００を結合する際、補助装着部５５０の一面が係止段５１６ａに密着する程度にリアカバー３００から突き出ることが好ましい。また、補助装着部５５０は、係止段５１６ａを十分にカバーして密着するように、係止段５１６ａの形状に対応する形状（例えば、Ｕ字状）であってもよい。または、一対の係止段の最外郭幅に対応する幅又はそれ以上の幅を有する板（ｐｌａｔｅ）状を有してもよい。
【００４４】
前述したように、フック状ブラケット５１０は、ブラケット装着部５３０によって、図５を基準として上下方向への揺れが防止される。フック状ブラケット５１０は、補助装着部５５０によって前後方向への揺れが防止される。フック状ブラケット５１０を装着した後、フロントカバー１００とリアカバー３００が互いに結合する。そのため、フック状ブラケット５１０がフロントカバー１００に安定して装着された状態を維持することができる。従って、フック状ブラケット５１０が電子機器３０から離脱せず、電子機器３０を筐体１０に安定して装着することができる。
【００４５】
以上に説明したように、剛性のある材質で電子機器の結合装置を製造することで、耐久性が向上することはもちろん、製品原価が減少して、筐体に取り付ける際に結合装置の破損を防止することができる。また、結合装置を簡単に挿入して取り付けることができるため、取り付けの便宜性及び作業性が向上する効果がある。
【００４６】
前述した構成を有する本発明の一実施形態による電子機器の結合装置において、電子機器が筐体に取り付けられる過程を説明すれば、次のとおりである。
【００４７】
図８は、本発明の一実施形態による電子機器の結合装置を適用した電子機器の筐体への取付前状態を示した側面図、図９は、本発明の一実施形態による電子機器の結合装置を適用した電子機器の筐体への取付完了状態を示した側面図である。
【００４８】
フック状ブラケット５１０がフロントカバー１００に結合された状態で、リアカバー３００とフロントカバー１００を結合して電子機器３０の取り付けを準備する。その後（図５〜７参照）、電子機器３０を筐体１０に１次結合させる。
【００４９】
図８に示したように、電子機器３０を取り付ける時に筐体１０に貫通された挿入孔１２に電子機器３０を挿入する。このとき、電子機器３０は、筐体１０の前方から後方に向かって挿入される（図８を基準として左側が前方である）。
【００５０】
フック状ブラケット５１０のフック部５１２は、フロントカバー１００に向かう方向に上向傾斜した形態である。従って、フック部５１２は、挿入孔１２に挿入される方向の高さが低く、電子機器３０のリアカバー３００が挿入孔１２を通しながら傾斜した部分が加圧される。
【００５１】
フック部５１２が加圧されると、弾性変形してフックボディ５１４に近づきながら挿入孔１２を通す。フック部５１２は、挿入孔１２を通した後、さらに復元される。フック部５１２が復元されると、図９を基準としてフック部５１２が挿入孔１２より外側に位置するため、筐体１０に係止した状態を維持することになる。従って、電子機器３０は、フロントカバー１００とリアカバー３００が筐体１０を隔てて向かい合う状態になる。従って、フック状ブラケット５１０によって、電子機器３０が筐体１０に係止した状態を維持することができる。これによって、さらなる結合手段を用いて電子機器３０を筐体１０に完全に固定する間、電子機器３０が筐体１０から離脱しない。
【００５２】
このように、電子機器３０を完全に固定させる前に、筐体１０に係止した状態を維持することを１次結合状態と定義してもよい。電子機器３０を筐体１０に１次結合させた後、２次固定作業を行うと、一人の作業者のみで電子機器３０の取り付け作業が可能である長所がある。
【００５３】
以下では、本発明の他の実施形態による電子機器の結合装置について説明する。
【００５４】
図１０は、本発明の他の実施形態による電子機器の結合装置を示した斜視図、図１１は、本発明のさらに他の実施形態による電子機器の結合装置を示した斜視図である。
【００５５】
図１０に示したように、本発明の他の実施形態による電子機器の結合装置５００’は、図６による実施形態において説明したフック状ブラケット５１０の形態と同様であるものの、第２の係止部５１６’に切開した部分なしに平板状に変形されてもよい。フック状ブラケット５１０’がこのような形態を有しても、フック部５１２’と第２の係止部５１６’が所定間隔離隔しているため、フック部５１２’の弾性変形が可能である。また、補助装着部（図５参照）によって加圧される部分の面積が増加するため、フック状ブラケット５１０’の取り付け安全性がさらに向上する効果がある。
【００５６】
図面には示していないが、第２の係止部の端部をベンディングして係止段を形成する代わり、図５において説明した第２の係止部と同様に第２の係止部を作った後、長さを延びて、補助装着部の代わりにリアカバーに第２の係止部が挿入される孔を形成してもよい。この場合、第２の係止部がリアカバーに挿入して固定されるため、係止段が形成された図５の実施形態と同様、フック状ブラケットの前後方向の揺れを制限する効果がある。
【００５７】
または、図１１に示したように、本発明のさらに他の実施形態によるフック状ブラケット５１０’’は、図５において説明した実施形態と同じ形態を有するものの、第１の係止部５１４ａ’’の断面が「コ」字状であってもよい。この場合、第１の係止部５１４ａ’’がブラケット装着部５３０の第１のリブ（図７参照）を囲む形態に取り付けられるため、図５の実施形態と同様、フック状ブラケット５１０’’の上下方向の揺れを制限することができる。従って、取り付け安全性がさらに向上する効果がある。
【００５８】
前述した実施形態において、補助装着部がリアカバーに備えられたと説明したが、補助装着部は、別途構成品で作られてフック状ブラケットと結合してもよい。補助装着部は、フック状ブラケットの第２の係止部又は係止段を固定して、フック状ブラケットの前後方向の揺れを防止できるものであれば、その形状に制限されるものではない。
【００５９】
前述した本発明は、本発明が属する技術分野で通常の知識を有する者にとって本発明の技術思想を脱しない範囲内で様々な置換、変形及び変更が可能であるため、前述した実施形態及び添付の図面によって限定されるものではない。
【図１】
2019145788.tif 000003
【図２】
2019145788.tif 000004
【図３】
2019145788.tif 000005
【図４】
2019145788.tif 000006
【図５】
2019145788.tif 000007
【図６】
2019145788.tif 000008
【図７】
2019145788.tif 000009
【図８】
2019145788.tif 000010
【図９】
2019145788.tif 000011
【図１０】
2019145788.tif 000012
【図１１】
2019145788.tif 000013